(57)【要約】      （修正有）【課題】教習生が効率的に交通規則や運転技能等を学習することができる教習動画配信方法を提供する。【解決手段】教習生端末と入力手段を有する動画配信サーバとがネットワークを介して接続されてなる教習動画配信方法であって、動画配信サーバに入力手段を用いて教本に記載の教習内容毎に付される教習動画コードに対応付けて教本に記載の教習内容に対応する教習動画を登録するステップＳ４と、教習生が教習生端末を用いて教本に付された教習動画コードを読み取り、動画配信サーバにネットワークを介してアクセスするステップＳ５と、アクセスされた教習生端末に、動画配信サーバが、教習動画コードに対応した教習動画を、ネットワークを介して配信するステップＳ６とを含む。【選択図】図３
2014142600.tif 000002
【特許請求の範囲】
【請求項１】
教習生端末と入力手段を有する動画配信サーバとがネットワークを介して接続されてなる教習動画配信方法であって、
前記動画配信サーバに前記入力手段を用いて教本に記載の教習内容毎に付される教習動画コードに対応付けて前記教本に記載の教習内容に対応する教習動画を登録するステップと、
教習生が前記教習生端末を用いて前記教本に付された前記教習動画コードを読み取り、前記動画配信サーバに前記ネットワークを介してアクセスするステップと、
前記アクセスされた教習生端末に、前記動画配信サーバが、前記教習動画コードに対応した教習動画を、前記ネットワークを介して配信するステップとを含むことを特徴とする教習動画配信方法。
【請求項２】
前記動画配信サーバに前記入力手段を用いて前記教習動画コード及び前記教習生が所属している自動車教習所に発行されたオリジナル動画識別コードに対応付けて当該自動車教習所のオリジナル動画を登録するステップと、
前記教習生が前記教習生端末を用いて当該教習生端末に前記オリジナル動画識別コードを記憶させるステップと、
前記教習生が前記教習生端末を用いて前記教本に付された前記教習動画コードを読み取り、その読み取った情報並びに前記記憶されたオリジナル動画識別コードに基づき前記動画配信サーバに前記ネットワークを介してアクセスするステップと、
前記アクセスされた教習生端末に、前記動画配信サーバが、前記オリジナル動画識別コードに対応したオリジナル動画を、前記ネットワークを介して配信するステップとをさらに含むことを特徴とする請求項１に記載の教習動画配信方法。
【請求項３】
前記動画配信サーバに前記入力手段を用いて前記教本に付される広告動画コードに対応付けて広告動画を登録するステップと、
前記教習生が前記教習生端末を用いて前記教本に付された前記広告動画コードを読み取り、前記動画配信サーバに前記ネットワークを介してアクセスするステップと、
前記アクセスされた教習生端末に、前記動画配信サーバが、前記広告動画コードに対応した広告動画を、前記ネットワークを介して配信するステップとをさらに含むことを特徴とする請求項１又は２に記載の教習動画配信方法。
【発明の詳細な説明】
【技術分野】
【０００１】
本発明は、自動車免許を取得する際に利用する教本に記載されている教習内容を動画配信することができる教習動画配信方法に関する。
【背景技術】
【０００２】
自動車教習所では、交通規則等を講義により学習する学科教習、並びに、実際に自動車に乗車し運転技能を学ぶ技能教習を行っている。そして、これら教習の際、教習生に対し、学科教本や運転教本（以下、学科教本及び運転教本をまとめて、「教本」という）を用いて、教官が教習生に対して指導を行うという方法を採用している。
【発明の概要】
【発明が解決しようとする課題】
【０００３】
しかしながら、上記教本には、教習内容が写真やイラストで掲載しているだけであるため、具体的なイメージが湧かず、教習生によっては、効率的に交通規則や運転技能等を学習することができないという問題があった。
【０００４】
そこで本発明は、上記問題に鑑み、教習生が効率的に交通規則や運転技能等を学習することができる教習動画配信方法を提供することを目的としている。
【課題を解決するための手段】
【０００５】
上記課題を解決するための手段は、以下の手段によって達成される。なお、括弧内は、後述する実施形態の参照符号を付したものであるが、本発明はこれに限定されるものではない。
【０００６】
請求項１に係る教習動画配信方法は、教習生端末（３）と入力手段（入力部１６）を有する動画配信サーバ（１）とがネットワーク（Ｎ）を介して接続されてなる教習動画配信方法であって、
前記動画配信サーバ（１）に前記入力手段（入力部１６）を用いて教本に記載の教習内容毎に付される教習動画コードに対応付けて前記教本に記載の教習内容に対応する教習動画を登録するステップ（ステップＳ４）と、
教習生が前記教習生端末（３）を用いて前記教本に付された前記教習動画コードを読み取り、前記動画配信サーバ（１）に前記ネットワーク（Ｎ）を介してアクセスするステップ（ステップＳ５）と、
前記アクセスされた教習生端末（３）に、前記動画配信サーバ（１）が、前記教習動画コードに対応した教習動画を、前記ネットワーク（Ｎ）を介して配信するステップ（ステップＳ６）とを含むことを特徴としている。
【０００７】
一方、請求項２に係る教習動画配信方法は、上記請求項１に記載の教習動画配信方法において、前記動画配信サーバ（１）に前記入力手段（入力部１６）を用いて前記教習動画コード及び前記教習生が所属している自動車教習所に発行されたオリジナル動画識別コードに対応付けて当該自動車教習所のオリジナル動画を登録するステップ（ステップＳ１３）と、
前記教習生が前記教習生端末（３）を用いて当該教習生端末（３）に前記オリジナル動画識別コードを記憶させるステップ（ステップＳ１５〜ステップＳ１６）と、
前記教習生が前記教習生端末（３）を用いて前記教本に付された前記教習動画コードを読み取り、その読み取った情報並びに前記記憶されたオリジナル動画識別コードに基づき前記動画配信サーバ（１）に前記ネットワーク（Ｎ）を介してアクセスするステップ（ステップＳ１４）と、
前記アクセスされた教習生端末（３）に、前記動画配信サーバ（１）が、前記オリジナル動画識別コードに対応したオリジナル動画を、前記ネットワーク（Ｎ）を介して配信するステップ（ステップＳ１５）とをさらに含むことを特徴としている。
【０００８】
また、請求項３に係る教習動画配信方法は、上記請求項１又は２に記載の教習動画配信方法において、前記動画配信サーバ（１）に前記入力手段（入力部１６）を用いて前記教本に付される広告動画コードに対応付けて広告動画を登録するステップ（ステップＳ２３）と、
教習生が前記教習生端末（３）を用いて前記教本に付された前記広告動画コードを読み取り、前記動画配信サーバ（１）に前記ネットワーク（Ｎ）を介してアクセスするステップ（ステップＳ２４）と、
前記アクセスされた教習生端末（３）に、前記動画配信サーバ（１）が、前記広告動画コードに対応した広告動画を、前記ネットワーク（Ｎ）を介して配信するステップ（ステップＳ２５）とをさらに含むことを特徴としている。
【発明の効果】
【０００９】
次に、本発明の効果について、図面の参照符号を付して説明する。なお、括弧内は、後述する実施形態の参照符号を付したものであるが、本発明はこれに限定されるものではない。
【００１０】
請求項１に係る発明によれば、教習生は、教本により交通規則や運転技能等を学習する際、より具体的なイメージを持って学習したい箇所があれば、教本に付されている教習動画コードを、教習生端末（３）を用いて読み取ることにより、教習動画が当該教習生端末（３）に配信されることとなる。それゆえ、教習生は、効率的に交通規則や運転技能等を学習することができる。
【００１１】
また、請求項２に係る発明によれば、教習生は、教習生端末（３）にオリジナル動画識別コードを記憶させ、そのオリジナル動画識別コードを記憶させた教習生端末（３）を用いて教本に付されている教習動画コードを読み取るだけで、当該教習生が所属している自動車教習所のオリジナル動画を閲覧することができる。これにより、自動車教習所は、より手軽に教習生に提供したい情報を配信することができると共に、教習生としても、より手軽に当該情報を閲覧することができる。
【００１２】
一方、請求項３に係る発明によれば、教習生は、教習生端末（３）を用いて教本に掲載されている広告に付されている広告動画コードを読み取るだけで、当該広告の広告動画を閲覧することができる。これにより、広告主（企業）は、所定の商品を販売したい層に向けて、的確な宣伝をすることができると共に、教習生は、手軽により深くその広告内容を知ることができる。
【図面の簡単な説明】
【００１３】
【図１】本発明に係る教習動画配信方法に関する教習動画配信システムの第１実施形態を示す全体図である。
【図２】同実施形態に係る動画配信サーバの概念ブロック図である。
【図３】同実施形態に係る教習動画配信システムを使用する際の一使用例を説明するフローチャート図である。
【図４】第２実施形態に係る教習動画配信システムを使用する際の一使用例を説明するフローチャート図である。
【図５】本発明に係る教習動画配信方法に関する教習動画配信システムの第３実施形態を示す全体図である。
【図６】同実施形態に係る動画配信サーバの概念ブロック図である。
【図７】同実施形態に係る教習動画配信システムを使用する際の一使用例を説明するフローチャート図である。
【発明を実施するための形態】
【００１４】
＜第１実施形態＞
以下、本発明に係る教習動画配信方法に関する教習動画配信システムの第１実施形態について、図１〜図３を参照して具体的に説明する。教習動画配信システムは、図１に示すように、動画配信サーバ１と、自動車教習所の職員等が使用する自動車教習所端末２と、当該自動車教習所に入校した教習生が使用する教習生端末３とがネットワークＮを介して接続されている。この自動車教習所端末２，教習生端末３は、ＰＣ（Ｐｅｒｓｏｎａｌ  Ｃｏｍｐｕｔｅｒ）やｉ−ｐｈｏｎｅ（登録商標）等のスマートフォンや携帯電話、ＰＤＡ（Ｐｅｒｓｏｎａｌ  Ｄｉｇｉｔａｌ  Ａｓｓｉｓｔａｎｃｅ）等で構成されてなるものである。なお、本実施形態においては、説明の都合上、自動車教習所端末２と教習生端末３を１つだけ用いる例を示しているが、勿論、複数用いても良い。
【００１５】
動画配信サーバ１は、図２に示すように、ＣＰＵ等からなる中央制御部１０と、自動車教習所情報取得部１１と、動画データベース１２と、教習生情報取得部１３と、主にＷｅｂページや管理画面を生成するためのプログラムが格納されている画面プログラム１４と、取得した情報を記憶するフラッシュメモリ等からなる記憶部１５と、キーボードやマウスあるいはタッチパネル等からなる入力部１６と、液晶ディスプレイ等からなる表示部１７と、無線ＬＡＮ，有線ＬＡＮ，ダイヤルアップ等の通信手段でネットワークＮに接続が可能な通信部１８とで構成されている。
【００１６】
自動車教習所情報取得部１１は、図１に示す自動車教習所端末２を用いて自動車教習所の職員等が入力した情報を取得するものである。
【００１７】
動画データベース１２は、教本に記載の教習内容毎の教習動画が格納されており、その教習動画には、それぞれ、上記教本に記載の教習内容毎に付されている教習動画コード（例えば、ＱＲコード（登録商標））に組み込まれているＵＲＬ（Ｕｎｉｆｏｒｍ  Ｒｅｓｏｕｒｃｅ  Ｌｏｃａｔｏｒ）が付されて格納されている。
【００１８】
教習生情報取得部１３は、図１に示す教習生端末３を用いて自動車教習所に入校した教習生が入力した情報を取得するものである。
【００１９】
＜教習動画配信システム使用例＞
ここで、上記説明した教習動画配信システムの一使用例を、図３を参照して説明する。
【００２０】
まず、動画配信サービスを提供するサービス提供者は、動画配信サーバ１を起動しログインする。これにより、動画配信サーバ１の中央制御部１０は、画面プログラム１４より管理画面を読み出し、表示部１７に表示する。これを受けて、サービス提供者は、その管理画面より、所定の自動車教習所に教本及びその教本に記載の教習内容毎の教習動画配信サービスを購入して欲しい旨のメールを、入力部１６を用いて記載し、当該メールを、通信部１８を用いて自動車教習所端末２に送信する（ステップＳ１）。
【００２１】
次いで、自動車教習所は、そのメール配信を受けて、上記教本及びその教本に記載の教習内容毎の教習動画配信サービスの購入をするか否かを検討し、購入すると決定した場合、自動車教習所の職員等が自動車教習所端末２を用いて購入を決定した旨の情報を、ネットワークＮを経由して動画配信サーバ１に送信する（ステップＳ２）。
【００２２】
これを受けて、動画配信サーバ１の自動車教習所情報取得部１１は、通信部１８を介してその購入決定情報を取得し、記憶部１５に格納する（ステップＳ３）。
【００２３】
次いで、サービス提供者が、入力部１６を用いて表示部１７に表示される管理画面を操作し、上記ステップＳ１にてメール配信した自動車教習所の情報を検索すると、中央制御部１０は、記憶部１５より購入決定情報を読み出し、その情報を表示部１７に表示する。これにより、サービス提供者が、入力部１６を用いて教本に記載の教習内容毎の教習動画を動画データベース１２に格納すると共に、その教習動画に、それぞれ、上記教本に記載の教習内容毎に付されている教習動画コードに組み込まれるＵＲＬを付して格納する（ステップＳ４）。この作業後、サービス提供者は、上記ＵＲＬの情報を組み込んだ教習動画コードを付した教本を自動車教習所に郵便等で配送し、自動車教習所は、その教本を自動車教習所に入校した教習生に提供する。
【００２４】
次いで、教習生は、その受け取った教本に基づいて、交通規則や運転技能等を学習するが、その際、より具体的なイメージを持って学習したい場合、その学習したい箇所の教習動画コード（例えば、ＱＲコード（登録商標））を教習生端末３にて読み取る。これにより、その学習したい箇所の教習動画が格納されているＵＲＬが、教習生端末３に表示されるため、そのＵＲＬにアクセスすることで、教習生端末３がネットワークＮを介して動画配信サーバ１に接続されることとなる（ステップＳ５）。
【００２５】
これを受けて、動画配信サーバ１の教習生情報取得部１３は、通信部１８を介してそのＵＲＬ情報を取得し、中央制御部１０を介して、そのＵＲＬ情報に対応した教習動画を動画データベース１２より読み出し、通信部１８を用いて教習生端末３に送信する（ステップＳ６）。これにより、教習生端末３に、学習したい箇所の教習動画が表示されることとなる（ステップＳ７）。
【００２６】
しかして、本実施形態によれば、教習生は、教本により交通規則や運転技能等を学習する際、より具体的なイメージを持って学習したい箇所があれば、教本に付されている教習動画コードを、教習生端末３を用いて読み取ることにより、教習動画が当該教習生端末３に配信されることとなる。それゆえ、教習生は、効率的に交通規則や運転技能等を学習することができる。
【００２７】
なお、本実施形態においては、ステップＳ１にて、動画配信サーバ１を用いてメール配信する例を示したが、それに限らず、一般的なＰＣを使用し一般的なメールソフトを用いてメール配信するようにしても良い。その際、当然のことながら、その一般的なＰＣにステップＳ２にて示す自動車教習所の情報が配信されるが、サービス提供者は、その情報を参照しながら、ステップＳ４にて、動画配信サーバ１の入力部１６を用いて教本に記載の教習内容毎の教習動画を動画データベース１２に格納すると共に、その教習動画に、それぞれ、上記教本に記載の教習内容毎に付されている教習動画コードに組み込まれているＵＲＬを付して格納すれば良い。
【００２８】
また、本実施形態においては、教本及びその教本に記載の教習内容毎の教習動画配信サービスの購入を決定した自動車教習所に対し、教習動画コードを付した教本を配布する例を示したが、これに限らず、ステップＳ１〜ステップＳ３の処理をせず、ステップＳ４にて、教本に記載の教習内容毎の教習動画を動画データベース１２に格納すると共に、その教習動画に、それぞれ、上記教本に記載の教習内容毎に付されている教習動画コードに組み込まれるＵＲＬを付して格納しておき、自動車教習所に、そのＵＲＬの情報を組み込んだ教習動画コードを付した教本を有償で配布し、教習動画の配信サービスを無償提供するようにしても良い。
【００２９】
＜第２実施形態＞
上記第１実施形態においては、教習動画を配信する例のみを示したが、それに加え、自動教習所のオリジナル動画を配信することもできる。以下では、このオリジナル動画配信を含めた教習動画配信システムを第２実施形態として、図４を参照して説明する。なお、第１実施形態と同一の構成についは同一の符号を付し、説明は省略することとする。また、第２実施形態においても、教習動画を配信することは可能であるが、配信方法は、第１実施形態と同一であるため、図４では、オリジナル動画を配信する方法のみについて説明している。
【００３０】
図４に示すように、まず、サービス提供者は、表示部１７に表示される管理画面を用いて、自動車教習所のオリジナル動画を登録して欲しい旨のメールを、入力部１６を用いて記載し、当該メールを、通信部１８を用いて自動車教習所端末２に送信する（ステップＳ１０）。
【００３１】
次いで、自動車教習所は、そのメール配信を受けて登録料を支払い、オリジナル動画を登録してもらうか否かを検討し、登録してもらうと決定した場合、自動車教習所の職員等が自動車教習所端末２を用いて登録を所望するオリジナル動画を、ネットワークＮを経由して動画配信サーバ１に送信する（ステップＳ１１）。
【００３２】
これを受けて、動画配信サーバ１の自動車教習所情報取得部１１は、通信部１８を介してそのオリジナル動画を取得し、記憶部１５に格納する（ステップＳ１２）。
【００３３】
次いで、サービス提供者が、入力部１６を用いて表示部１７に表示される管理画面を操作し、上記ステップＳ１０にてメール配信した自動車教習所の情報を検索すると、中央制御部１０は、記憶部１５よりオリジナル動画を読み出し、その情報を表示部１７に表示する。これにより、サービス提供者が、入力部１６を用いて、そのオリジナル動画を動画データベース１２に格納すると共に、そのオリジナル動画を呼び出すためのオリジナル動画識別コードを格納する（ステップＳ１３）。この作業後、サービス提供者は、上記オリジナル動画識別コードを自動車教習所にメール等で送付し、自動車教習所は、オリジナル動画識別コードを自動車教習所に入校した教習生に提供する。
【００３４】
次いで、教習生は、当該入校した自動車教習所のオリジナル動画を閲覧する際、その受け取った教本に付されている教習動画コード（例えば、ＱＲコード（登録商標））を教習生端末３にて読み取る。これにより、教習生端末３にＵＲＬが表示されるため、そのＵＲＬにアクセスする（ステップＳ１４）。その際、例えば、初回など、教習生端末３よりオリジナル動画識別コードが組み込まれた情報（Ｃｏｏｋｉｅ）が送信されてこなければ、動画配信サーバ１の中央制御部１０は、上記オリジナル動画識別コードを入力させる画面を教習生端末３に通信部１８を用い、ネットワークＮを介して送信する（ステップＳ１５）。これを受けて、教習生は、自動車教習所より提供されたオリジナル動画識別コードを、教習生端末３を用いて入力し、そのオリジナル動画識別コードが組み込まれた情報（Ｃｏｏｋｉｅ）を教習生端末３に記憶させると共に、その情報を動画配信サーバ１に送信する（ステップＳ１６）。なお、言うまでもないが、オリジナル動画識別コードが組み込まれた情報（Ｃｏｏｋｉｅ）が動画配信サーバ１に送信された場合は、ステップＳ１５〜ステップＳ１６の処理は不要となる。
【００３５】
これを受けて、動画配信サーバ１の教習生情報取得部１３は、通信部１８を介してそのＵＲＬ及びオリジナル動画識別コードが組み込まれた情報を取得し、中央制御部１０を介して、その情報に対応したオリジナル動画を動画データベース１２より読み出し、通信部１８を用いて教習生端末３に送信する（ステップＳ１５）。これにより、教習生端末３に、オリジナル動画が表示されることとなる（ステップＳ１６）。
【００３６】
しかして、本実施形態によれば、教習生は、教習生端末３にオリジナル動画識別コードを記憶させ、そのオリジナル動画識別コードを記憶させた教習生端末３を用いて教本に付されている教習動画コードを読み取るだけで、自動車教習所のオリジナル動画を閲覧することができる。これにより、自動車教習所は、より手軽に教習生に提供したい情報を配信することができると共に、教習生としても、より手軽に当該情報を閲覧することができる。
【００３７】
なお、本実施形態においては、ステップＳ１０にて、動画配信サーバ１を用いてメール配信する例を示したが、それに限らず、一般的なＰＣを使用し一般的なメールソフトを用いてメール配信するようにしても良い。その際、当然のことながら、その一般的なＰＣにステップＳ１１にて示す自動車教習所のオリジナル動画が配信されるが、サービス提供者は、そのオリジナル動画を、ＵＳＢメモリ等に記憶し、ステップＳ１３にて、動画配信サーバ１の入力部１６を用いて、そのＵＳＢメモリ等に記憶されているオリジナル動画を動画データベース１２に格納し、そのオリジナル動画に、上記教本に付されるオリジナル動画コードに組み込まれるＵＲＬを付して格納すれば良い。
【００３８】
＜第３実施形態＞
一方、上記第１実施形態においては、教習動画を配信する例を示したが、それに加え、広告動画を配信することもできる。以下では、この広告動画配信を含めた教習動画配信システムを第３実施形態として、図５〜図７を参照して説明する。なお、第１実施形態と同一の構成についは同一の符号を付し、説明は省略することとする。また、第３実施形態においても、教習動画を配信することは可能であるが、配信方法は、第１実施形態と同一であるため、図７では、広告動画を配信する方法のみについて説明している。
【００３９】
本実施形態に係る教習動画配信システムは、図５に示すように、動画配信サーバ１００と、自動車教習所端末２と、教習生端末３と、広告を提供する広告主（企業）が使用する広告主端末２００とがネットワークＮを介して接続されている。この広告主端末２００は、自動車教習所端末２，教習生端末３と同様、ＰＣ（Ｐｅｒｓｏｎａｌ  Ｃｏｍｐｕｔｅｒ）やｉ−ｐｈｏｎｅ（登録商標）等のスマートフォンや携帯電話、ＰＤＡ（Ｐｅｒｓｏｎａｌ  Ｄｉｇｉｔａｌ  Ａｓｓｉｓｔａｎｃｅ）等で構成されてなるものである。なお、本実施形態においては、説明の都合上、自動車教習所端末２，教習生端末３，広告主端末２００を１つだけ用いる例を示しているが、勿論、複数用いても良い。
【００４０】
動画配信サーバ１００は、図６に示すように、中央制御部１０と、自動車教習所情報取得部１１と、動画データベース１２と、教習生情報取得部１３と、画面プログラム１４と、記憶部１５と、入力部１６と、表示部１７と、通信部１８と、広告主情報取得部１０１と、広告動画データベース１０２とで構成されている。
【００４１】
広告主情報取得部１０１は、図５に示す広告主端末２００を用いて広告主（企業）が入力した情報を取得するものである。
【００４２】
広告動画データベース１０２は、教本に掲載される広告に対応する広告動画が格納されており、その広告動画には、上記教本に掲載される広告に付されている広告動画コード（例えば、ＱＲコード（登録商標））に組み込まれたＵＲＬ（Ｕｎｉｆｏｒｍ  Ｒｅｓｏｕｒｃｅ  Ｌｏｃａｔｏｒ）が付されて格納されている。
【００４３】
＜教習動画配信システム使用例＞
ここで、上記説明した教習動画配信システムの一使用例を、図７を参照して説明する。
【００４４】
図７に示すように、まず、サービス提供者は、表示部１７に表示される管理画面を用いて、所定の広告主（企業）に教本及びその教本に関する動画内容を閲覧できるＵＲＬを記載し、広告動画を登録して欲しい旨のメールを、入力部１６を用いて記載し、当該メールを、通信部１８を用いて広告主端末２００に送信する（ステップＳ２０）。
【００４５】
これを受けて、広告主（企業）が、広告料を支払い広告の登録を決定すると、広告主（企業）が広告主端末２００を用いて広告登録を所望する旨の情報を、ネットワークＮを経由して動画配信サーバ１に送信する（ステップＳ２１）。
【００４６】
これを受けて、動画配信サーバ１の広告主情報取得部１０１は、通信部１８を介してその情報を取得し、記憶部１５に格納する（ステップＳ２２）。
【００４７】
次いで、サービス提供者が、入力部１６を用いて表示部１７に表示される管理画面を操作し、上記ステップＳ２０にてメール配信した広告主（企業）の情報を検索すると、中央制御部１０は、記憶部１５よりその情報を読み出し、表示部１７に表示させる。これにより、サービス提供者が、入力部１６を用いて、その情報に基づく広告動画を広告動画データベース１０２に格納すると共に、その広告動画に、上記教本に掲載される広告に付される広告動画コード（例えば、ＱＲコード（登録商標））に組み込まれるＵＲＬを付して格納する（ステップＳ２３）。この作業後、サービス提供者は上記ＵＲＬの情報を組み込んだ広告動画コードを付した教本を自動車教習所に郵便等で配送し、自動車教習所は、その教本を自動車教習所に入校した教習生に提供する。
【００４８】
次いで、教習生は、教本に掲載されている広告内容をより詳しく知るため、その教本に掲載されている広告に付されている広告動画コード（例えば、ＱＲコード（登録商標））を教習生端末３にて読み取る。これにより、その広告動画が格納されているＵＲＬが教習生端末３に表示されるため、そのＵＲＬにアクセスすることで、教習生端末３がネットワークＮを介して動画配信サーバ１に接続されることとなる（ステップＳ２４）。
【００４９】
これを受けて、動画配信サーバ１の教習生情報取得部１３は、通信部１８を介してそのＵＲＬ情報を取得し、中央制御部１０を介して、そのＵＲＬ情報に対応した広告動画を広告動画データベース１０２より読み出し、通信部１８を用いて教習生端末３に送信する（ステップＳ２５）。これにより、教習生端末３に、広告動画が表示されることとなる（ステップＳ２６）。
【００５０】
しかして、本実施形態によれば、教習生は、教習生端末３を用いて教本に掲載されている広告に付されている広告動画コードを読み取るだけで、当該広告の広告動画を閲覧することができる。これにより、広告主（企業）は、所定の商品を販売したい層に向けて、的確な宣伝をすることができると共に、教習生は、手軽により深くその広告内容を知ることができる。
【００５１】
なお、本実施形態においては、ステップＳ２０にて、動画配信サーバ１を用いてメール配信する例を示したが、それに限らず、一般的なＰＣを使用し一般的なメールソフトを用いてメール配信しても良い。その際、当然のことながら、一般的なＰＣにステップＳ２１にて示す広告登録を所望する旨の情報が配信されるが、サービス提供者は、その情報に基づき、ステップＳ２３にて、動画配信サーバ１の入力部１６を用いて広告動画データベース２３に広告動画を格納し、その広告動画に、上記教本に掲載される広告に付される広告動画コードに組み込まれるＵＲＬを付して格納すれば良い。また、広告動画は、広告主が制作したものがあれば、ステップＳ２１の処理にて送信するようにしても良い。
【００５２】
ところで、第１実施形態〜第３実施形態においては、動画配信サーバ１，１００を一台で構築する例を示したが、勿論、処理を分散させ複数台で構築しても良い。
【符号の説明】
【００５３】
１，１００      動画配信サーバ
２              自動車教習所端末
３              教習生端末
１２            動画データベース
１６            入力部（入力手段）
１０２          広告動画データベース
２００          広告主端末
Ｎ              ネットワーク
【図１】
2014142600.tif 000003
【図２】
2014142600.tif 000004
【図３】
2014142600.tif 000005
【図４】
2014142600.tif 000006
【図５】
2014142600.tif 000007
【図６】
2014142600.tif 000008
【図７】
2014142600.tif 000009